(57)【要約】【課題】弾球遊技機の前枠又は中枠の開放を検出する開放検出スイッチにおいて、部品点数を抑えて構成の複雑化を避けること。【解決手段】中枠５８が閉じられているときは前面扉枠５１が開放されると検出子２２が変位する。中枠５８が開放されたときも検出子２２が変位する。従って、前面扉枠５１と中枠５８の一方（又は双方）が開放されたことは開放検出スイッチ２０のオン、オフに基づいて検出できる。検出子２２を突出位置と押込位置とに往復変位させる形態の開放検出スイッチ２０のケース２１を中枠５８の前後方向にのみ前進、後退可能に中枠５８に取り付けるだけでよいから、部品点数は少なくて済み、また構成も複雑化しない。【選択図】図３
2010213775.tif 000002
【特許請求の範囲】
【請求項１】
遊技機設置島に固定される外枠と、扉状に開閉可能に前記外枠に組付けられて遊技盤を保持する中枠と、前記中枠に保持された前記遊技盤の前側にて扉状に開閉可能に前記中枠に組付けられた前枠と、前記前枠が開放されたこと又は前記中枠が開放されたことを検出する開放検出スイッチとを備える弾球遊技機において、
前記開放検出スイッチは、
箱状のケースと、
前記ケースの前面からの突き出し量が相対的に大きい突出位置とそれよりも前記突き出し量が小さくなる押込位置とに往復変位する検出子と、
前記ケース内に配されて前記検出子を前記押込位置から前記突出位置に向けて付勢する内部ばねと、
前記ケース内に配されていて前記検出子が前記突出位置にあるときと前記押込位置にあるときとでオン、オフが変化する接点と
を備えており、
該開放検出スイッチは、前記検出子を前記中枠の前方に向ける姿勢にて、前記ケースを前記中枠の前後方向にのみ前進、後退可能にして前記中枠に取り付けられ、
前記中枠が前記外枠に対して閉じられたときには前記外枠によって押圧されて前記ケースが前進させられ、
該ケースが前進させられた状態で前記前枠が前記中枠に対して閉じられると前記検出子が前記前枠によって押圧されて前記突出位置から前記押込位置に変位し、
該ケースが前進させられた状態で前記前枠による前記検出子への押圧が解除されると前記検出子を前記押込位置から前記突出位置に変位させ、
前記前枠が前記中枠に対して閉じられた状態のまま前記中枠が開放されると前記ケースが後退して前記検出子が前記押込位置から前記突出位置に変位する
ことを特徴とする弾球遊技機。
【請求項２】
前記中枠に取り付けられた前記ケースを後退方向に付勢する後退付勢ばねを備えたことを特徴とする請求項１記載の弾球遊技機。
【請求項３】
前記ケースは、該ケースを保持して該ケースと共に前記中枠の前後方向に移動する支持部材を介して前記中枠に取り付けられ、
該支持部材には、前記中枠が前記外枠に対して閉じられたときに前記外枠によって押圧される被押圧部が設けられており、
前記後退付勢ばねは前記支持部材を後退方向に付勢する
ことを特徴とする請求項２記載の弾球遊技機。
【発明の詳細な説明】
【技術分野】
【０００１】
本発明は、弾球遊技機の技術分野に属する。
【背景技術】
【０００２】
パチンコ機等の弾球遊技機では、遊技盤と遊技盤の前方に配されたガラス板との間に形成された遊技領域における遊技球の挙動によって遊技が行われる。パチンコ機の場合は遊技領域に配置された入賞口に遊技球が入れば入賞となって賞球が払い出される。そのため、遊技盤の前方を覆うための上記のガラス板を保持している前枠を不正に開いたり、ときには前枠が取り付けられている中枠を不正に開いたりする不正行為（いわゆるゴト）が行われることがある。その対策として（それのみが目的ではないが）、前枠が開放されたこと又は中枠が開放されたことを検出する開放検出スイッチが備えられている。
【先行技術文献】
【特許文献】
【０００３】
【特許文献１】特開２００８−８６６０２号公報
【発明の概要】
【発明が解決しようとする課題】
【０００４】
特許文献１の場合、一方の端部が固定軸を中心として回動可能に中枠に取り付けられたスイッチホルダに開放検出スイッチを保持させ、スイッチホルダには、固定軸に取り付けられたバネによりパチンコ機の後方側（外枠側）へ回転するように弾性力を加え、 また開放検出スイッチの固定軸とは反対側の端部には、開放検出スイッチの押し釦を押すためのレバーを備えている。つまり、部品点数が多く、また構成も複雑であった。
【課題を解決するための手段】
【０００５】
請求項１記載の弾球遊技機は、遊技機設置島に固定される外枠と、扉状に開閉可能に前記外枠に組付けられて遊技盤を保持する中枠と、前記中枠に保持された前記遊技盤の前側にて扉状に開閉可能に前記中枠に組付けられた前枠と、前記前枠が開放されたこと又は前記中枠が開放されたことを検出する開放検出スイッチとを備える弾球遊技機において、
前記開放検出スイッチは、
箱状のケースと、
前記ケースの前面からの突き出し量が相対的に大きい突出位置とそれよりも前記突き出し量が小さくなる押込位置とに往復変位する検出子と、
前記ケース内に配されて前記検出子を前記押込位置から前記突出位置に向けて付勢する内部ばねと、
前記ケース内に配されていて前記検出子が前記突出位置にあるときと前記押込位置にあるときとでオン、オフが変化する接点と
を備えており、
該開放検出スイッチは、前記検出子を前記中枠の前方に向ける姿勢にて、前記ケースを前記中枠の前後方向にのみ前進、後退可能にして前記中枠に取り付けられ、
前記中枠が前記外枠に対して閉じられたときには前記外枠によって押圧されて前記ケースが前進させられ、
該ケースが前進させられた状態で前記前枠が前記中枠に対して閉じられると前記検出子が前記前枠によって押圧されて前記突出位置から前記押込位置に変位し、
該ケースが前進させられた状態で前記前枠による前記検出子への押圧が解除されると前記検出子を前記押込位置から前記突出位置に変位させ、
前記前枠が前記中枠に対して閉じられた状態のまま前記中枠が開放されると前記ケースが後退して前記検出子が前記押込位置から前記突出位置に変位する
ことを特徴とする。
【０００６】
請求項１記載の発明で用いられる開放検出スイッチは箱状のケースを備えており、ケース内には接点と内部ばねとが配されている。検出子はケースの前面からの突き出し量が相対的に大きい突出位置とそれよりも突き出し量が小さくなる押込位置とに往復変位する。内部ばねは検出子を押込位置から突出位置に向けて付勢するので、検出子に外力が作用しなければ検出子は突出位置にされる。検出子に外力を及ぼし、内部ばねに抗して検出子を突出位置から押込位置に変位させれば、接点がオンからオフへ（又はオフからオンへ）変化する。
【０００７】
開放検出スイッチは、検出子を中枠の前方に向ける姿勢にして、ケースを中枠の前後方向にのみ前進、後退可能に中枠に取り付けられ、中枠が外枠に対して閉じられたときには外枠によって押圧されてケースが前進させられる。
【０００８】
そのように外枠による押圧でケースが前進させられた状態で前枠が中枠に対して閉じられると検出子が前枠によって押圧されて突出位置から押込位置に変位し、その状態から前枠が開放されて前枠による検出子への押圧が解除されると、検出子が押込位置から突出位置に変位する。従って、接点のオン、オフに基づけば、中枠が外枠に対して閉じられた状態での前枠の開放を検出できる。
【０００９】
一方、前枠が中枠に対して閉じられた状態のまま中枠が開放されると、外枠による押圧が解除される。すると、内部ばねが検出子を突出位置へ突き出し変位させる力が前枠とケースとの間を離隔させる力として作用し、ケースが後退して検出子が押込位置から突出位置に変位する。従って、この場合は接点のオン、オフにより、中枠の開放を検出できる。
【００１０】
但し、接点のオン、オフ自体は、前枠が開放されたときと中枠が開放されたときとで変化するわけではないから、前枠と中枠のどちらか一方又は双方が開放されたことを検出できるに過ぎず、「前枠の開放」であるか「中枠の開放」であるかは特定できない。しかし、前枠又は中枠の開放を検出できればこれらを不正に開くゴト行為に対しては十分に有効である。
【００１１】
なお、接点のオン、オフの切り替わりは、検出子が突出位置になると切り替わる構成や、同押込位置になると切り替わる構成でもよいが、突出位置と押込位置との間の適宜の位置で切り替わる構成の方が好ましい。
【００１２】
請求項１記載の発明によれば、検出子を突出位置と押込位置とに往復変位させる形態の開放検出スイッチを用いて、そのスイッチのケースを中枠の前後方向にのみ前進、後退可能に中枠に取り付けるだけでよいから、部品点数は少なくて済み、また構成も複雑化しない。
【００１３】
ところで、前枠が中枠に対して閉じられた状態のまま中枠が開放されたときにケースを後退させる駆動力としては、上述したように内部ばねが検出子を突出位置へ突き出し変位させる力を利用できるのであるが、内部ばねの付勢力だけでは十分でないおそれもある。
【００１４】
そこで、請求項２記載の発明では、前記中枠に取り付けられた前記ケースを後退方向に付勢する後退付勢ばねを備えた構成を採用している。この後退付勢ばねを備えることにより、中枠が開放されたときには、前枠が中枠に対して閉じられていようといまいと確実にケースを後退させることができる。
【００１５】
また、開放検出スイッチは、いわゆる量産品を購入して用いるのが普通であるから、購入品そのままでは「前記ケースを前記中枠の前後方向にのみ前進、後退可能に前記中枠に」取り付けるのは難しい場合がある。
【００１６】
しかし、請求項３記載のように、前記ケースは、該ケースを保持して該ケースと共に前記中枠の前後方向に移動する支持部材を介して前記中枠に取り付けられ、該支持部材には、前記中枠が前記外枠に対して閉じられたときに前記外枠によって押圧される被押圧部が設けられており、前記後退付勢ばねは前記支持部材を後退方向に付勢する構成とすれば、開放検出スイッチの取り付けに関する上述の問題は回避できる。また、被押圧部を設けることで、外枠による押圧を確実に受けることができる。
【図面の簡単な説明】
【００１７】
【図１】実施例のパチンコ機の（ａ）前面側と（ｂ）背面側の斜視図。
【図２】実施例のパチンコ機の要部の正面図。
【図３】実施例のパチンコ機で（ａ）前枠及び中枠を閉じた状態、（ｂ）前枠を開放した状態、（ｃ）中枠を開放した状態のＡ−Ａ断面図。
【発明を実施するための形態】
【００１８】
本実施例のパチンコ機５０（弾球遊技機に該当）の全体構造は図１に示す通りである。
外枠１は、パチンコ機５０の外殻を構成し、パチンコ機５０を遊技店に設置する際には遊技機設置島に固定される。
【００１９】
外枠１は、アルミニウム製の左縦部材２と右縦部材３とを備えている。これら左縦部材２と右縦部材３とは対面状に配置されている。
左縦部材２は縦長の部材であり、左縦部材２の上端部には上ヒンジ保持部５が連設されている。上ヒンジ保持部５の先端片５ａは外枠１の前方に突出しており、先端片５ａには下向きに開口した上ヒンジ軸受（開口は図示されない）が設けられている。また、左縦部材２の下端から全長のおよそ１／５ほどの位置には、下ヒンジ保持部７が設けられており、下ヒンジ保持部７には下ヒンジ軸受が形成されている。
【００２０】
また外枠１は、左縦部材２と右縦部材３の上端部同士を連結する上横部材１４と、左縦部材２と右縦部材３の下端部同士を連結する下横部材１５とを備えている。
上横部材１４は、外枠１の天井１６となる部分と球タンク１７とで構成されている。天井１６は、全体としてはほぼ板状になっている。上横部材１４の左端部は左縦部材２の上端部に連結され、右端部は右縦部材３の上端部に連結されている。
【００２１】
左縦部材２と右縦部材３の下端部同士を連結する下横部材１５は、硬質合成樹脂（例えばＡＢＳ）の躯体部３５（図２参照）と装飾体４４とからなる。躯体部３５の右端部は右縦部材３の下端部に連結され、左端部は左縦部材２の下端部に連結されている。装飾体４４は躯体部３５の前面部に取り付けられている。
【００２２】
パチンコ機５０の前面には、前枠に該当する前面扉枠５１が配されている。詳しくは、外枠１に中枠５８が取り付けられ、その中枠５８を介して前面扉枠５１が外枠１に取り付けられている。
【００２３】
その具体的な構成は、まず中枠５８が、上下のヒンジ軸により外枠１の上ヒンジ保持部５（上ヒンジ軸受）、下ヒンジ保持部７（下ヒンジ軸受）にそれぞれ連結されており、それら上下のヒンジ軸を中心にして外枠１すなわちパチンコ機５０の本体部に対して扉状に開閉可能になっている。
【００２４】
中枠５８に備わっている上下のヒンジ軸は鋼管であって、それらの内孔が前面扉枠５１のためのヒンジ軸受として機能する。つまり、前面扉枠５１は図示しない上下のヒンジ軸をそれぞれ上述した中枠５８のヒンジ軸に挿通させることで外枠１に連結されており、それら上下のヒンジ軸を中心にして中枠５８に対して扉状に開閉可能になっている。
【００２５】
前面扉枠５１には遊技盤を臨ませるための窓５２が設けられており（図１に示すのは遊技盤を装備していない状態である。）、窓５２を閉塞するためのガラス板が窓５２の背後に装着される。
【００２６】
窓５２の上方には電飾部５３が設けられている。窓５２の下方には上皿５４と下皿５５とが上下に重なるようにして配されている。
これら電飾部５３から下皿５５までの部分が前面扉枠５１となっていて、上述のように開閉可能である。
【００２７】
下皿５５の右側には発射ハンドル５６が配されている。発射ハンドル５６の支持基部５７は、前面扉枠５１ではなく中枠５８に取り付けられている。また、中枠５８の前面には錠機構を操作するための鍵穴５９も取り付けられている。
【００２８】
中枠５８は、アルミニウム製の２本の縦辺部６１と合成樹脂製の上横部６２及び下横部６３とで構成されており、下横部６３の上面で遊技盤の下端面を支え、両方の縦辺部６１で遊技盤の左右を挟むようにして、遊技盤を保持する。
【００２９】
上述したように、中枠５８は上下のヒンジ軸により外枠１の上ヒンジ保持部５、下ヒンジ保持部７にそれぞれ連結されていて、外枠１すなわちパチンコ機５０の本体部に対して扉状に開閉可能になっている。
【００３０】
図２及び図３に示すように、中枠５８の下横部６３にはスイッチ用の開口１０が設けられている。
図３に示すように、その開口１０の背後においてはスイッチ支持部材１１が下横部６３（中枠５８）に取り付けられている。スイッチ支持部材１１は下横部６３（中枠５８）に固定されているわけではなく、下横部６３（中枠５８）の前後方向にのみ設定された範囲で前進、後退可能である。
【００３１】
なお、下横部６３（中枠５８）には後退付勢ばね（図示は省略）が取り付けられていて、後退付勢ばねによる付勢力はをスイッチ支持部材１１を後退方向に付勢している。従って、スイッチ支持部材１１に後退付勢ばねによる付勢力のみが作用する状態では、スイッチ支持部材１１は図３（ｃ）に示す後退限度位置まで後退させられる。
【００３２】
スイッチ支持部材１１は空洞状の部材であり、外周面には舌片１２（被押圧部に該当）が立設されている。
また、スイッチ支持部材１１の内側には開放検出スイッチ２０が収容されている。
【００３３】
開放検出スイッチ２０は、箱状のケース２１と、ケース２１の前面からの突き出し量が相対的に大きい突出位置（図３（ｂ）、（ｃ）に示す位置）とそれよりも突き出し量が小さくなる押込位置（図３（ａ）に示す位置）とに往復変位する検出子２２とを備えている。開放検出スイッチ２０は、検出子２２を下横部６３（中枠５８）の前方に向ける姿勢にしてケース２１をスイッチ支持部材１１に取り付けられており、スイッチ支持部材１１と共に下横部６３（中枠５８）の前後方向に前進、後退可能である。
【００３４】
また、詳細構造の図示は省略しているが、開放検出スイッチ２０は、ケース２１内に配されて検出子２２を押込位置から突出位置に向けて付勢する内部ばね（図示せず）と、ケース２１内に配されていて検出子２２が突出位置にあるときと押込位置にあるときとでオン、オフが変化する接点（図示せず）とを備えている。
【００３５】
次に開放検出スイッチ２０の動作を説明する。
まず、中枠５８が外枠１すなわちパチンコ機５０の本体部に対して閉じられると、図３（ａ）、（ｂ）に示すように、躯体部３５（外枠１）に設けられた押圧部２３がスイッチ支持部材１１の舌片１２を押圧し、後退付勢ばねによる付勢力に抗してスイッチ支持部材１１（開放検出スイッチ２０）を前進させる。
【００３６】
そのスイッチ支持部材１１（開放検出スイッチ２０）が前進させられた状態において前面扉枠５１が中枠５８に対して閉じられると、図３（ａ）に示すように、前面扉枠５１の背面部が検出子２２に当接して検出子２２を突出位置から押込位置に変位させる。また、図３（ａ）に示す状態から前面扉枠５１を開放すれば、上述の前面扉枠５１による押し込みが解除されるので、検出子２２は押込位置から突出位置に変位する（図３（ｂ）参照）。
【００３７】
一方、中枠５８が開放されると、押圧部２３による舌片１２への押圧が解除されるので、後退付勢ばねによる付勢力によってスイッチ支持部材１１（開放検出スイッチ２０）が後退する。すると、図３（ｃ）に示すように、スイッチ支持部材１１（開放検出スイッチ２０）の後退に応じて検出子２２が押込位置から突出位置に変位する。
【００３８】
このように、中枠５８が外枠１すなわちパチンコ機５０の本体部に対して閉じられているときは（図３（ａ）、（ｂ）参照）、前面扉枠５１が閉じられているか開放されたかに応じて検出子２２が押込位置と突出位置とに変位する。すなわち、前面扉枠５１が開放されると開放検出スイッチ２０のオン、オフが変化する。
【００３９】
また、中枠５８が開放されたときも検出子２２が押込位置から突出位置に変位するので、前面扉枠５１が開放されたときと同様に開放検出スイッチ２０のオン、オフが変化する。
【００４０】
従って、前面扉枠５１と中枠５８の一方（又は双方）が開放されたことは開放検出スイッチ２０のオン、オフに基づいて検出できる。但し、開放検出スイッチ２０（その接点）のオン、オフの変化が前面扉枠５１の開放に起因するものであるか、中枠５８の開放に起因するものであるかは判別できない。しかし、前面扉枠５１又は中枠５８の開放を検出できればこれらを不正に開くゴト行為に対しては十分に有効である。
【００４１】
本実施例のパチンコ機５０は、検出子２２を突出位置と押込位置とに往復変位させる形態の開放検出スイッチ２０を用いて、そのスイッチ２０のケース２１を中枠５８の前後方向にのみ前進、後退可能に中枠５８に取り付けるだけでよいから、部品点数は少なくて済み、また構成も複雑化しない。
【００４２】
また、中枠５８に取り付けられたスイッチ支持部材１１すなわちケース２１を後退方向に付勢する後退付勢ばねを備えた構成を採用しているので、中枠５８が開放されたときには、前面扉枠５１が中枠５８に対して閉じられていようといまいと確実にスイッチ支持部材１１（ケース２１）を後退させることができる。
【００４３】
しかし、ケース２１は、ケース２１を保持してケース２１と共に中枠５８の前後方向に移動するスイッチ支持部材１１を介して中枠５８に取り付けられ、スイッチ支持部材１１には、中枠５８が外枠１に対して閉じられたときに外枠１によって押圧される舌片１２が設けられており、後退付勢ばねはスイッチ支持部材１１を後退方向に付勢する構成としてあるので、量産品の開放検出スイッチ２０を中枠５８の前後方向にのみ前進、後退可能に中枠５８に取り付けるのが容易である。
【符号の説明】
【００４４】
１・・・外枠、
１０・・・開口、
１１・・・スイッチ支持部材、
１２・・・舌片、
２０・・・開放検出スイッチ、
２１・・・ケース、
２２・・・検出子、
２３・・・押圧部、
５０・・・パチンコ機（弾球遊技機）、
５１・・・前面扉枠（前枠）、
５２・・・窓、
５８・・・中枠。
【図１】
2010213775.tif 000003
【図２】
2010213775.tif 000004
【図３】
2010213775.tif 000005